(57)【特許請求の範囲】
【請求項１】
物体側より像側へ順に配置された、正の屈折力の第１レンズ群、負の屈折力の第２レンズ群、正の屈折力の第３レンズ群、正の屈折力の第４レンズ群から構成され、広角端から望遠端へのズーミングに際して、前記第１レンズ群は不動で、少なくとも前記第２レンズ群と前記第４レンズ群が移動し、ズーミングに際して隣り合うレンズ群の間隔が変化するズームレンズであって、
前記第１レンズ群は、物体側より像側へ順に配置された、負レンズ、正レンズ、正レンズ、正レンズから成り、
前記第２レンズ群は、２枚の負レンズと、１枚の正レンズから構成され、
前記第１レンズ群に配置された正レンズの材料のアッベ数をνｄ１ｐとしたとき、
前記第１レンズ群は、
７４．０＜νｄ１ｐ＜１００．０
なる条件式を満足する正レンズを有し、
前記第１レンズ群の焦点距離をｆ１、前記第２レンズ群の焦点距離をｆ２、前記第３レンズ群の焦点距離をｆ３、前記第４レンズ群の焦点距離をｆ４、広角端における全系の焦点距離をｆｗ、望遠端において無限遠物体に合焦しているときの前記第２レンズ群の横倍率をβ２ｔ、前記第２レンズ群に配置された正レンズの材料のアッベ数をνｄ２ｐとしたとき、
−７．３０＜ｆ１／ｆ２＜−４．６０
１．１６＜ｆ３／ｆ４＜１．５５
３．８０＜ｆ４／ｆｗ＜６．５０
−１２．００＜β２ｔ＜−５．８０
１０．０＜νｄ２ｐ＜２１．０
なる条件式を満足することを特徴とするズームレンズ。
【請求項２】
前記第２レンズ群の最も物体側に配置されたレンズは負レンズであり、前記第２レンズ群の最も物体側に配置されたレンズのｄ線を基準とした屈折率をｎｄ２ｎ１としたとき、
ｎｄ２ｎ１＞１．９００
なる条件式を満足することを特徴とする請求項１に記載のズームレンズ。
【請求項３】
前記第１レンズ群の最も物体側のレンズ面から像面までの光軸上の距離をＴＬ、望遠端における全系の焦点距離をｆｔとしたとき、
０．０７０＜（ＴＬ／ｆ１）／（ｆｔ／ｆｗ）＜０．１００
なる条件式を満足することを特徴とする請求項１または２に記載のズームレンズ。
【請求項４】
前記第１レンズ群の最も物体側のレンズ面から像面までの光軸上の距離をＴＬ、望遠端における有効像円半径をφｔ、望遠端における全系の焦点距離をｆｔとしたとき、
０．９５＜（ＴＬ／φｔ）／（ｆｔ／ｆｗ）＜１．２０
なる条件式を満足することを特徴とする請求項１乃至３のいずれか１項に記載のズームレンズ。
【請求項５】
広角端におけるバックフォーカスをＢＦｗとしたとき、
１．３０＜ＢＦｗ／ｆｗ＜４．００
なる条件式を満足することを特徴とする請求項１乃至４のいずれか１項に記載のズームレンズ。
【請求項６】
広角端において無限遠物体に合焦しているときの前記第２レンズ群の横倍率をβ２ｗとしたとき、
２１．０＜β２ｔ／β２ｗ＜４５．０
なる条件式を満足することを特徴とする請求項１乃至５のいずれか１項に記載のズームレンズ。
【請求項７】
広角端において無限遠物体に合焦しているときの前記第４レンズ群の横倍率をβ４ｗ、望遠端において無限遠物体に合焦しているときの前記第４レンズ群の横倍率をβ４ｔとしたとき、
１．３０＜β４ｔ／β４ｗ＜２．６０
なる条件式を満足することを特徴とする請求項１乃至６のいずれか１項に記載のズームレンズ。
【請求項８】
前記第１レンズ群の最も物体側のレンズ面から像面までの光軸上の距離をＴＬ、広角端における前記第１レンズ群と前記第２レンズ群の光軸上の間隔をＬ１ｗとしたとき、
０．０００＜Ｌ１ｗ／ＴＬ＜０．０２０
なる条件式を満足することを特徴とする請求項１乃至７のいずれか１項に記載のズームレンズ。
【請求項９】
前記第１レンズ群の最も物体側のレンズ面から像面までの光軸上の距離をＴＬ、望遠端における前記第２レンズ群と前記第３レンズ群の光軸上の間隔をＬ２ｔとしたとき、
０．０００＜Ｌ２ｔ／ＴＬ＜０．０５０
なる条件式を満足することを特徴とする請求項１乃至８のいずれか１項に記載のズームレンズ。
【請求項１０】
前記第２レンズ群に含まれる少なくとも１枚のレンズは、非球面形状のレンズ面を有することを特徴とする請求項１乃至９のいずれか１項に記載のズームレンズ。
【請求項１１】
前記第３レンズ群は、物体側より像側へ順に配置された、正レンズ、負レンズから構成されていることを特徴とする請求項１乃至１０のいずれか１項に記載のズームレンズ。
【請求項１２】
前記第４レンズ群は、１枚の正レンズと１枚の負レンズから構成されることを特徴とする請求項１乃至１１のいずれか１項に記載のズームレンズ。
【請求項１３】
物体側より像側へ順に配置された、正の屈折力の第１レンズ群、負の屈折力の第２レンズ群、正の屈折力の第３レンズ群、正の屈折力の第４レンズ群から構成され、広角端から望遠端へのズーミングに際して、前記第１レンズ群は不動で、少なくとも前記第２レンズ群と前記第４レンズ群が移動し、ズーミングに際して隣り合うレンズ群の間隔が変化するズームレンズであって、
前記第１レンズ群は、物体側より像側へ順に配置された、負レンズ、正レンズ、正レンズ、正レンズから成り、
前記第２レンズ群は、少なくとも１枚の正レンズを含む３つ以上のレンズ要素を有し、
前記第３レンズ群は、物体側より像側へ順に配置された、正レンズ、正レンズ、負レンズから構成され、
前記第１レンズ群に配置された正レンズの材料のアッベ数をνｄ１ｐ、前記第２レンズ群に配置された正レンズの材料のアッベ数をνｄ２ｐとしたとき、
前記第１レンズ群は、
７４．０＜νｄ１ｐ＜１００．０
なる条件式を満足する正レンズを有し、
前記第２レンズ群は、
１０．０＜νｄ２ｐ＜２１．０
なる条件式を満足する正レンズを有し、
前記第１レンズ群の焦点距離をｆ１、前記第２レンズ群の焦点距離をｆ２、前記第３レンズ群の焦点距離をｆ３、前記第４レンズ群の焦点距離をｆ４、広角端における全系の焦点距離をｆｗ、望遠端において無限遠物体に合焦しているときの前記第２レンズ群の横倍率をβ２ｔとしたとき、
−７．３０＜ｆ１／ｆ２＜−４．６０
１．１６＜ｆ３／ｆ４＜１．５５
３．８０＜ｆ４／ｆｗ＜６．５０
−１２．００＜β２ｔ＜−５．８０
なる条件式を満足することを特徴とするズームレンズ。
【請求項１４】
前記第２レンズ群は、３枚の負レンズと、１枚の正レンズから構成されることを特徴とする請求項１３に記載のズームレンズ。
【請求項１５】
前記第４レンズ群は、２枚以上の正レンズと１枚の負レンズから構成されることを特徴とする請求項１３または１４に記載のズームレンズ。
【請求項１６】
前記第３レンズ群に含まれる少なくとも１枚のレンズは、非球面形状のレンズ面を有することを特徴とする請求項１乃至１５のいずれか１項に記載のズームレンズ。
【請求項１７】
請求項１乃至１６のいずれか１項に記載のズームレンズと、該ズームレンズによって形成される像を受光する撮像素子を有することを特徴とする撮像装置。
【請求項１８】
前記撮像素子によって生成された画像を転送するためのネットワークケーブルに接続されていることを特徴とする請求項１７に記載の撮像装置。
【請求項１９】
前記撮像装置は監視カメラであることを特徴とする請求項１７または１８に記載の撮像装置。
【発明の詳細な説明】
【技術分野】
【０００１】
本発明はズームレンズ及びそれを有する撮像装置に関し、例えばデジタルスチルカメラ、ビデオカメラ、監視カメラ、放送用カメラ等の撮像素子を用いた撮像装置、或いは銀塩写真フィルムを用いたカメラ等の撮像装置に好適なものである。
【背景技術】
【０００２】
近年、固体撮像素子を用いたデジタルスチルカメラ、ビデオカメラ等の撮像装置は高機能化され、かつ装置全体が小型化されている。これらの装置に用いられるズームレンズは、小型かつ高倍率であり、良好な光学性能を有することが求められている。こうした要求に応えるべく、物体側より像側へ順に正、負、正、正の屈折力を有するレンズ群を含むズームレンズが知られている。
【０００３】
特許文献１及び２のズームレンズは、第２レンズ群を移動させて変倍を行い、第４レンズ群を移動させることにより、ズーミングに伴う像面変動の補正やフォーカシングを行っている。
【０００４】
このように、第１レンズ群よりも像側に配置されたレンズを移動させることによりフォーカシングを行うズームレンズは、インナーフォーカス式のズームレンズと呼ばれる。一般にインナーフォーカス式のズームレンズは、第１レンズ群を移動させてフォーカスを行うズームレンズと比較して、第１レンズ群の有効径が小さくなり、レンズ系の小型化を実現しやすい。
【先行技術文献】
【特許文献】
【０００５】
【特許文献１】特開平１１−２３９６５号公報
【特許文献２】特開２００８−３１０２２２号公報
【発明の概要】
【発明が解決しようとする課題】
【０００６】
一般にズームレンズにおいて、高倍化を実現しつつ、全系の小型化を図るためには、ズームレンズを構成する各レンズ群の屈折力を強めつつ、レンズ枚数を削減すれば良い。しかしながら、各レンズ面の屈折力が強くなると、光学性能の低下を招きやすい。
【０００７】
物体側より像側へ順に正、負、正、正の屈折力を有するレンズ群を含むズームレンズにおいて、更なる高倍率化と小型化を実現しつつ、高い光学性能を保持するためには、各レンズ群の屈折力や、レンズの材料を適切に設定することが重要である。
【０００８】
本発明は、小型かつ高倍率であり、高い光学性能を有するズームレンズ及びそれを有する撮像装置を提供することを目的とする。
【課題を解決するための手段】
【０００９】
本発明のズームレンズは、物体側より像側へ順に配置された、正の屈折力の第１レンズ群、負の屈折力の第２レンズ群、正の屈折力の第３レンズ群、正の屈折力の第４レンズ群から構成され、広角端から望遠端へのズーミングに際して、前記第１レンズ群は不動で、少なくとも前記第２レンズ群と前記第４レンズ群が移動し、ズーミングに際して隣り合うレンズ群の間隔が変化するズームレンズであって、前記第１レンズ群は、物体側より像側へ順に配置された、負レンズ、正レンズ、正レンズ、正レンズから成り、前記第２レンズ群は、２枚の負レンズと、１枚の正レンズから構成され、前記第１レンズ群に配置された正レンズの材料のアッベ数をνｄ１ｐとしたとき、前記第１レンズ群は、
７４．０＜νｄ１ｐ＜１００．０
なる条件式を満足する正レンズを有し、前記第１レンズ群の焦点距離をｆ１、前記第２レンズ群の焦点距離をｆ２、前記第３レンズ群の焦点距離をｆ３、前記第４レンズ群の焦点距離をｆ４、広角端における全系の焦点距離をｆｗ、望遠端において無限遠物体に合焦しているときの前記第２レンズ群の横倍率をβ２ｔ、前記第２レンズ群に配置された正レンズの材料のアッベ数をνｄ２ｐとしたとき、
−７．３０＜ｆ１／ｆ２＜−４．６０
１．１６＜ｆ３／ｆ４＜１．５５
３．８０＜ｆ４／ｆｗ＜６．５０
−１２．０＜β２ｔ＜−５．８
１０．０＜νｄ２ｐ＜２１．０
なる条件式を満足することを特徴とする。
また、本発明の他のズームレンズは、物体側より像側へ順に配置された、正の屈折力の第１レンズ群、負の屈折力の第２レンズ群、正の屈折力の第３レンズ群、正の屈折力の第４レンズ群から構成され、広角端から望遠端へのズーミングに際して、前記第１レンズ群は不動で、少なくとも前記第２レンズ群と前記第４レンズ群が移動し、ズーミングに際して隣り合うレンズ群の間隔が変化するズームレンズであって、前記第１レンズ群は、物体側より像側へ順に配置された、負レンズ、正レンズ、正レンズ、正レンズから成り、前記第２レンズ群は、少なくとも１枚の正レンズを含む３つ以上のレンズ要素を有し、前記第３レンズ群は、物体側より像側へ順に配置された、正レンズ、正レンズ、負レンズから構成され、前記第１レンズ群に配置された正レンズの材料のアッベ数をνｄ１ｐ、前記第２レンズ群に配置された正レンズの材料のアッベ数をνｄ２ｐとしたとき、前記第１レンズ群は、
７４．０＜νｄ１ｐ＜１００．０
なる条件式を満足する正レンズを有し、前記第２レンズ群は、
１０．０＜νｄ２ｐ＜２１．０
なる条件式を満足する正レンズを有し、前記第１レンズ群の焦点距離をｆ１、前記第２レンズ群の焦点距離をｆ２、前記第３レンズ群の焦点距離をｆ３、前記第４レンズ群の焦点距離をｆ４、広角端における全系の焦点距離をｆｗ、望遠端において無限遠物体に合焦しているときの前記第２レンズ群の横倍率をβ２ｔとしたとき、
−７．３０＜ｆ１／ｆ２＜−４．６０
１．１６＜ｆ３／ｆ４＜１．５５
３．８０＜ｆ４／ｆｗ＜６．５０
−１２．００＜β２ｔ＜−５．８０
なる条件式を満足することを特徴とする。
【発明の効果】
【００１０】
本発明によれば、小型かつ高倍率であり、高い光学性能を有するズームレンズ及びそれを有する撮像装置が得られる。
【図面の簡単な説明】
【００１１】
【図１】実施例１のズームレンズの広角端におけるレンズ断面図
【図２】（Ａ）、（Ｂ）、（Ｃ）実施例１のズームレンズの広角端、中間のズーム位置、望遠端における収差図
【図３】実施例２のズームレンズの広角端におけるレンズ断面図
【図４】（Ａ）、（Ｂ）、（Ｃ）実施例２のズームレンズの広角端、中間のズーム位置、望遠端における収差図
【図５】実施例３のズームレンズの広角端におけるレンズ断面図
【図６】（Ａ）、（Ｂ）、（Ｃ）実施例３のズームレンズの広角端、中間のズーム位置、望遠端における収差図
【図７】実施例４のズームレンズの広角端におけるレンズ断面図
【図８】（Ａ）、（Ｂ）、（Ｃ）実施例４のズームレンズの広角端、中間のズーム位置、望遠端における収差図
【図９】実施例５のズームレンズの広角端におけるレンズ断面図
【図１０】（Ａ）、（Ｂ）、（Ｃ）実施例５のズームレンズの広角端、中間のズーム位置、望遠端における収差図
【図１１】実施例６のズームレンズの広角端におけるレンズ断面図
【図１２】（Ａ）、（Ｂ）、（Ｃ）実施例６のズームレンズの広角端、中間のズーム位置、望遠端における収差図
【図１３】実施例７のズームレンズの広角端におけるレンズ断面図
【図１４】（Ａ）、（Ｂ）、（Ｃ）実施例７のズームレンズの広角端、中間のズーム位置、望遠端における収差図
【図１５】本発明の撮像装置の要部概略図
【発明を実施するための形態】
【００１２】
以下、本発明のズームレンズ及びそれを有する撮像装置について、添付の図面に基づいて詳細に説明する。本発明のズームレンズは、物体側より像側へ順に、正の屈折力の第１レンズ群、負の屈折力の第２レンズ群、正の屈折力の第３レンズ群、正の屈折力の第４レンズ群から構成される。ここでレンズ群とは、ズーミングに際して一体的に移動するレンズ要素であって、１枚以上のレンズを有していればよく、複数枚のレンズを有していなくてもよい。また、レンズ要素とは、単レンズ、複数のレンズが接合された接合レンズ、球面レンズの表面に樹脂層を積層して形成されるレプリカ非球面レンズなど、一体的に形成されたレンズをいう。
【００１３】
図１は実施例１のズームレンズの広角端におけるレンズ断面図である。図２（Ａ）、（Ｂ）、（Ｃ）はそれぞれ実施例１のズームレンズの広角端、中間のズーム位置、望遠端における収差図である。実施例１はズーム比２４．９５、開口比１．６５〜４．００程度のズームレンズである。図３は実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比２２．９９、開口比１．６５〜３．５０程度のズームレンズである。
【００１４】
図５は実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比２７．９３、開口比１．６５〜４．００程度のズームレンズである。図７は実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比２１．９７、開口比１．６５〜３．５０程度のズームレンズである。
【００１５】
図９は実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比２３．９２、開口比１．６５〜４．００程度のズームレンズである。図１１は実施例６のズームレンズの広角端におけるレンズ断面図である。図１２（Ａ）、（Ｂ）、（Ｃ）はそれぞれ実施例６のズームレンズの広角端、中間のズーム位置、望遠端における収差図である。実施例６はズーム比２６．９５、開口比１．６５〜４．００程度のズームレンズである。
【００１６】
図１３は実施例７のズームレンズの広角端におけるレンズ断面図である。図１４（Ａ）、（Ｂ）、（Ｃ）はそれぞれ実施例７のズームレンズの広角端、中間のズーム位置、望遠端における収差図である。実施例７はズーム比２２．９７、開口比１．６５〜３．５０程度のズームレンズである。
【００１７】
図１５は本発明のズームレンズを備える監視カメラの要部概略図である。各実施例のズームレンズはビデオカメラやデジタルスチルカメラ、銀塩フィルムカメラ、監視カメラ等の撮像装置に用いられる撮影レンズ系である。
【００１８】
レンズ断面図において左方が物体側（前方）で、右方が像側（後方）である。またレンズ断面図において、ｉを物体側から像側へのレンズ群の順番とするとＵｉは第ｉレンズ群を示す。
【００１９】
各実施例のズームレンズは、物体側より像側へ順に、正の屈折力の第１レンズ群Ｕ１、負の屈折力の第２レンズ群Ｕ２、正の屈折力の第３レンズ群Ｕ３、正の屈折力の第４レンズ群Ｕ４から成る。
【００２０】
各実施例において、ＳＰは開口絞りであり、開口絞りＳＰは、第２レンズ群Ｕ２と第３レンズ群Ｕ３の間に配置される。広角端から望遠端へのズーミングに際して、開口絞りＳＰは不動である。
【００２１】
Ｇは光学フィルター、フェースプレート、ローパスフィルター、赤外カットフィルター等に相当する光学ブロックである。ＩＰは像面である。ビデオカメラやデジタルカメラの撮像光学系としてズームレンズを使用する際には、像面ＩＰはＣＣＤセンサやＣＭＯＳセンサといった固体撮像素子（光電変換素子）に相当する。銀塩フィルムカメラの撮像光学系としてズームレンズを使用する際には、像面ＩＰはフィルム面に相当する。
【００２２】
球面収差図においてＦｎｏはＦナンバーであり、ｄ線（波長５８７．６ｎｍ）、ｇ線（波長４３５．８ｎｍ）に対する球面収差を示している。非点収差図においてＳはサジタル像面、Ｍはメリディオナル像面である。歪曲収差はｄ線について示している。色収差図ではｇ線における色収差を示している。ωは撮像半画角である。
【００２３】
各実施例では、レンズ断面図中の矢印で示すように、広角端から望遠端へのズーミングに際してレンズ群が移動し、隣り合うレンズ群の間隔が変化する。具体的には、各実施例において、広角端から望遠端へのズーミングに際して、第１レンズ群Ｕ１は不動である。第２レンズ群Ｕ２は、像側へ移動する。実施例１、３乃至７のズームレンズにおいて、広角端から望遠端へのズーミングに際して、第３レンズ群Ｕ３は不動である。実施例２のズームレンズにおいて、広角端から望遠端へのズーミングに際して、第３レンズ群Ｕ３は、物体側に移動した後、像側へ移動し、その後再度物体側へ移動する。
【００２４】
各実施例のズームレンズにおいて、第４レンズ群Ｕ４は、広角端から望遠端へのズーミングに際して、物体側に凸状の軌跡を描きながら移動し、ズーミングに伴う像面変動を補正している。
【００２５】
また、各実施例のズームレンズでは、第４レンズ群Ｕ４をフォーカスレンズ群としている。各実施例のズームレンズにおいて、望遠端において無限遠物体から近距離物体へフォーカシングを行う場合には、レンズ断面の矢印４ｃに示すように、第４レンズ群Ｕ４を物体側に移動させている。レンズ断面図中の実線４ａと点線４ｂは各々、無限遠物体と近距離物体にフォーカスしているときに、広角端から望遠端へのズーミングに伴う像面変動を補正するための移動軌跡を示している。
【００２６】
各実施例のズームレンズでは、ズーミングに際して第１レンズ群Ｕ１を不動とすることで、望遠端におけるレンズ全長の短縮化を図っている。また、ズーミングに際して第１レンズ群Ｕ１を不動とすることで、第１レンズ群Ｕ１の位置制御精度を高めることができる。
【００２７】
また、各実施例のズームレンズは、
−７．３０＜ｆ１／ｆ２＜−４．６０…（１）
１．１６＜ｆ３／ｆ４＜１．５５…（２）
３．８０＜ｆ４／ｆｗ＜６．５０…（３）
−１２．００＜β２ｔ＜−５．８０…（４）
なる条件式を満足する。
【００２８】
さらに、第１レンズ群Ｕ１は、
７４．０＜νｄ１ｐ＜１００．０…（５）
なる条件式を満足する正レンズを有し、
第２レンズ群Ｕ２は、
１０．０＜νｄ２ｐ＜２１．０…（６）
なる条件式を満足する正レンズを有する。
【００２９】
ここで、第１レンズ群Ｕ１の焦点距離をｆ１、第２レンズ群Ｕ２の焦点距離をｆ２、第３レンズ群Ｕ３の焦点距離をｆ３、第４レンズ群Ｕ４の焦点距離をｆ４、広角端における全系の焦点距離をｆｗとする。また、望遠端において無限遠物体に合焦しているときの第２レンズ群Ｕ２の横倍率をβ２ｔ、第１レンズ群Ｕ１に配置された正レンズの材料のアッベ数をνｄ１ｐ、第２レンズ群Ｕ２に配置された正レンズの材料のアッベ数をνｄ２ｐとする。
【００３０】
条件式（１）は、第１レンズ群Ｕ１の焦点距離ｆ１と第２レンズ群Ｕ２の焦点距離ｆ２の比を規定したものである。
【００３１】
条件式（１）の上限値を超えて、第２レンズ群Ｕ２の焦点距離ｆ２が長くなると、第２レンズ群Ｕ２の屈折力が弱くなり過ぎて、高倍化を実現するために、ズーミングに際しての第２レンズ群Ｕ２の移動量が大きくなり過ぎる。その結果、ズームレンズの大型化を招くため、好ましくない。条件式（１）の下限値を超えて、第２レンズ群Ｕ２の焦点距離ｆ２が短くなると、第２レンズ群Ｕ２の屈折力が強くなり過ぎて、ズーミングに際して諸収差の変動が大きくなるため好ましくない。
【００３２】
条件式（２）は、第３レンズ群Ｕ３の焦点距離ｆ３と第４レンズ群Ｕ４の焦点距離ｆ４の比を規定したものである。
【００３３】
条件式（２）の上限値を超えて、第４レンズ群Ｕ４の焦点距離ｆ４が短くなると、第４レンズ群Ｕ４の屈折力が強くなり過ぎる。その結果、第３レンズ群Ｕ３における収差補正と第４レンズ群Ｕ４における収差補正のバランスが崩れる。特に、ズーミングに伴う像面湾曲や非点収差の変動が増大し、ズーム全域において高い光学性能を維持することが困難になるため、好ましくない。
【００３４】
条件式（２）の下限値を超えて、第４レンズ群Ｕ４の焦点距離ｆ４が長くなると、第４レンズ群Ｕ４の屈折力が弱くなり過ぎる。その結果、フォーカシングやズーミングに際しての第４レンズ群Ｕ４の移動量が大きくなり、レンズ全長の増大を招くため好ましくない。
【００３５】
条件式（３）は、第４レンズ群Ｕ４の焦点距離ｆ４と広角端における全系の焦点距離ｆｗの比を規定したものである。
【００３６】
条件式（３）の上限値を超えて、第４レンズ群Ｕ４の焦点距離ｆ４が長くなると、第４レンズ群Ｕ４の屈折力が弱くなり過ぎる。その結果、フォーカシングやズーミングに際しての第４レンズ群Ｕ４の移動量が大きくなり、レンズ全長の増大を招くため好ましくない。
【００３７】
条件式（３）の下限値を超えて、第４レンズ群Ｕ４の焦点距離ｆ４が短くなると、第４レンズ群Ｕ４の屈折力が強くなり過ぎる。その結果、ズーミングに伴う像面湾曲や非点収差の変動が増大するため、好ましくない。
【００３８】
条件式（４）は、望遠端において無限遠物体に合焦しているときの第２レンズ群Ｕ２の横倍率β２ｔの数値範囲を規定したものである。
【００３９】
条件式（４）の上限値を超えて、望遠端における第２レンズ群Ｕ２の横倍率β２ｔが低くなると、高倍化を実現することが困難になるため好ましくない。条件式（４）の下限値を超えて、望遠端における第２レンズ群Ｕ２の横倍率β２ｔが高くなると、第２レンズ群Ｕ２の位置敏感度が高くなり過ぎて、製造誤差が発生しやすくなるため、好ましくない。
【００４０】
条件式（５）は、第１レンズ群Ｕ１に配置された正レンズの材料のアッベ数νｄ１ｐの数値範囲を規定したものである。
【００４１】
条件式（５）の上限値を超えて、第１レンズ群Ｕ１に配置された正レンズの材料のアッベ数νｄ１ｐが大きくなると、軸上色収差が過度に補正され、高い光学性能を保持することが困難になるため、好ましくない。条件式（５）の下限値を超えて、第１レンズ群Ｕ１に配置された正レンズの材料のアッベ数νｄ１ｐが小さくなると、軸上色収差を十分に補正することが困難になるため、好ましくない。
【００４２】
条件式（６）は、第２レンズ群Ｕ２に含まれる正レンズの材料のアッベ数νｄ２ｐの数値範囲を規定したものである。一般に、ズームレンズの高倍化を実現しようとすると、特に望遠端において軸上色収差が発生しやすい。ここで、負の屈折力の第２レンズ群Ｕ２に、高分散の材料を用いた正レンズを配置することにより、軸上色収差を効果的に補正することができる。
【００４３】
条件式（６）の上限値を超えて、第２レンズ群Ｕ２に含まれる正レンズの材料のアッベ数νｄ２ｐが大きくなると、軸上色収差を十分に補正することが困難になるため、好ましくない。
【００４４】
条件式（６）の下限値を超えて、第２レンズ群Ｕ２に含まれる正レンズの材料のアッベ数νｄ２ｐが小さくなると、軸上色収差が過度に補正され、また、ズーミングに伴う倍率色収差の変動が大きくなるため、好ましくない。
【００４５】
各実施例では上記の如く、条件式（１）から（６）を満足するように各要素を適切に設定している。これにより、小型かつ高倍率であり、高い光学性能を有するズームレンズを得ることができる。
【００４６】
なお、各実施例において、好ましくは、条件式（１）から（６）の数値範囲を次のように設定するのが良い。
−６．６０＜ｆ１／ｆ２＜−５．２０…（１ａ）
１．２０＜ｆ３／ｆ４＜１．４５…（２ａ）
３．８２＜ｆ４／ｆｗ＜４．７０…（３ａ）
−１０．００＜β２ｔ＜−５．８５…（４ａ）
７６．０＜νｄ１ｐ＜９６．０…（５ａ）
１５．０＜νｄ２ｐ＜１９．０…（６ａ）
【００４７】
また、さらに好ましくは、条件式（１）から（６）の数値範囲を次のように設定するのが良い。
−６．４２＜ｆ１／ｆ２＜−５．６０…（１ｂ）
１．２１＜ｆ３／ｆ４＜１．３７…（２ｂ）
３．８４＜ｆ４／ｆｗ＜４．３５…（３ｂ）
−９．３０＜β２ｔ＜−５．９０…（４ｂ）
８１．０＜νｄ１ｐ＜９０．０…（５ｂ）
１６．０＜νｄ２ｐ＜１８．０…（６ｂ）
【００４８】
さらに、各実施例において、次の条件式のうち１つ以上を満足することがより好ましい。
ｎｄ２ｎ１＞１．９００…（７）
０．０７０＜（ＴＬ／ｆ１）／（ｆｔ／ｆｗ）＜０．１００…（８）
０．９５＜（ＴＬ／φｔ）／（ｆｔ／ｆｗ）＜１．２０…（９）
１．３０＜ＢＦｗ／ｆｗ＜４．００…（１０）
２１．０＜β２ｔ／β２ｗ＜４５．０…（１１）
１．３０＜β４ｔ／β４ｗ＜２．６０…（１２）
０．０００＜Ｌ１ｗ／ＴＬ＜０．０２０…（１３）
０．０００＜Ｌ２ｔ／ＴＬ＜０．０５０…（１４）
【００４９】
ここで、第２レンズ群Ｕ２の最も物体側に配置されたレンズのｄ線を基準とした屈折率をｎｄ２ｎ１、第１レンズ群Ｕ１の最も物体側のレンズ面から像面までの光軸上の距離をＴＬ、望遠端における全系の焦点距離をｆｔ、望遠端における撮影半画角をωｔとする。また、広角端におけるバックフォーカスをＢＦｗ、広角端において無限遠物体に合焦しているときの第２レンズ群Ｕ２の横倍率をβ２ｗ、広角端において無限遠物体に合焦しているときの第４レンズ群Ｕ４の横倍率をβ４ｗとする。さらに、望遠端において無限遠物体に合焦しているときの第４レンズ群Ｕ４の横倍率をβ４ｔ、広角端における第１レンズ群Ｕ１と第２レンズ群Ｕ２の光軸上の間隔をＬ１ｗ、望遠端における第２レンズ群Ｕ２と第３レンズ群Ｕ３の光軸上の間隔をＬ２ｔとする。
【００５０】
条件式（７）は、第２レンズ群Ｕ２の最も物体側に配置された負レンズのｄ線を基準とした屈折率ｎｄ２ｎ１の数値範囲を規定したものである。第２レンズ群Ｕ２の最も物体側に負レンズを配置し、該負レンズに高屈折率の材料を用いることで、第２レンズ群Ｕ２の主点位置を物体側に移動させることができる。これにより、入射瞳位置を物体側に移動させることができ、前玉有効径を縮小することができる。
【００５１】
条件式（７）の下限値を超えて、第２レンズ群Ｕ２の最も物体側に配置された負レンズのｄ線を基準とした屈折率ｎｄ２ｎ１が低くなると、全ズーム領域において諸収差が多く発生し、また、前玉有効径が増大するため好ましくない。
【００５２】
条件式（８）は、第１レンズ群Ｕ１の最も物体側のレンズ面から像面までの光軸上の距離ＴＬと、第１レンズ群Ｕ１の焦点距離ｆ１の比を規定したものである。
【００５３】
条件式（８）の上限値を超えて、第１レンズ群Ｕ１の焦点距離ｆ１が短くなると、第１レンズ群Ｕ１の屈折力が強くなり過ぎて、第１レンズ群Ｕ１の内部で発生する諸収差が増大する。特に、第１レンズ群Ｕ１で発生した軸上色収差等が第２レンズ群Ｕ２以降の光学系により拡大され、ズームレンズ全体として良好な光学性能を得ることが困難になるため、好ましくない。
【００５４】
また、条件式（８）の上限値を超えて、第１レンズ群Ｕ１の最も物体側のレンズ面から像面までの光軸上の距離ＴＬが長くなると、ズームレンズの小型化を実現することが困難になるため、好ましくない。
【００５５】
条件式（８）の下限値を超えて、第１レンズ群Ｕ１の焦点距離ｆ１が長くなると、第１レンズ群Ｕ１の屈折力が弱くなり過ぎて、レンズ全系の小型化を実現することが困難になるため、好ましくない。
【００５６】
また、条件式（８）の下限値を超えて、第１レンズ群Ｕ１の最も物体側のレンズ面から像面までの光軸上の距離ＴＬが短くなると、各レンズ群の屈折力を強くする必要が生じ、ズーミングに伴う諸収差の変動を抑制することが困難になるため、好ましくない。
【００５７】
条件式（９）は、第１レンズ群Ｕ１の最も物体側のレンズ面から像面までの光軸上の距離ＴＬと、望遠端における有効像円半径φｔ（最大像高）の比を規定したものである。
【００５８】
条件式（９）の上限値を超えると、望遠端における有効像円半径φｔに対してレンズ全長が長くなり過ぎるため、好ましくない。また、条件式（９）の下限値を超えて、第１レンズ群Ｕ１の最も物体側のレンズ面から像面までの光軸上の距離ＴＬが短くなると、各レンズ群の屈折力を強くする必要が生じ、ズーミングに伴う諸収差の変動を抑制することが困難になるため、好ましくない。
【００５９】
条件式（１０）は、広角端におけるバックフォーカスＢＦｗと、広角端における全系の焦点距離ｆｗの比を規定したものである。
【００６０】
条件式（１０）の上限値を超えて、広角端におけるバックフォーカスＢＦｗが長くなると、最も像側に配置された第４レンズ群Ｕ４の屈折力が弱くなり過ぎる。その結果、フォーカシングやズーミングに際しての第４レンズ群Ｕ４の移動量が大きくなり、レンズ全長の増大を招くため好ましくない。条件式（１０）の下限値を超えて、広角端におけるバックフォーカスＢＦｗが短くなると、第４レンズ群Ｕ４と像面ＩＰの間隔が短くなり過ぎて、光学ブロックＧ等を配置することが困難になるため、好ましくない。
【００６１】
条件式（１１）は、広角端において無限遠物体に合焦しているときの第２レンズ群Ｕ２の横倍率β２ｗと、望遠端において無限遠物体に合焦しているときの第２レンズ群Ｕ２の横倍率β２ｔの比を規定したものである。
【００６２】
条件式（１１）の上限値を超えると、第２レンズ群Ｕ２の変倍比が高くなり過ぎて、ズーミングに際して諸収差の変動が大きくなるため好ましくない。
【００６３】
条件式（１１）の下限値を超えると、第２レンズ群Ｕ２の変倍比が低くなり過ぎて高倍化を実現することが困難になるため、好ましくない。
【００６４】
条件式（１２）は、広角端において無限遠物体に合焦しているときの第４レンズ群Ｕ４の横倍率β４ｗと、望遠端において無限遠物体に合焦しているときの第４レンズ群Ｕ４の横倍率β４ｔの比を規定したものである。
【００６５】
条件式（１２）の上限値を超えると、第４レンズ群Ｕ４の屈折力が強くなり過ぎて、第４レンズ群Ｕ４と像面ＩＰの間隔が短くなり過ぎて、光学ブロックＧ等を配置することが困難になるため、好ましくない。
【００６６】
条件式（１２）の下限値を超えると、第４レンズ群Ｕ４の変倍比が低くなり過ぎて高倍化を実現することが困難になるため、好ましくない。
【００６７】
条件式（１３）は、広角端における第１レンズ群Ｕ１と第２レンズ群Ｕ２の光軸上の間隔Ｌ１ｗと、第１レンズ群Ｕ１の最も物体側のレンズ面から像面までの光軸上の距離ＴＬの比を規定したものである。
【００６８】
条件式（１３）の上限値を超えて、広角端における第１レンズ群Ｕ１と第２レンズ群Ｕ２の光軸上の間隔Ｌ１ｗが広くなると、小型化を実現することが困難になるため、好ましくない。条件式（１３）の下限値を超えると、第１レンズ群Ｕ１と第２レンズ群Ｕ２が干渉してしまうため、好ましくない。
【００６９】
条件式（１４）は、望遠端における第２レンズ群Ｕ２と第３レンズ群Ｕ３の光軸上の間隔Ｌ２ｔと、第１レンズ群Ｕ１の最も物体側のレンズ面から像面までの光軸上の距離ＴＬの比を規定したものである。
【００７０】
条件式（１４）の上限値を超えて、望遠端における第２レンズ群Ｕ２と第３レンズ群Ｕ３の光軸上の間隔Ｌ２ｔが広くなると、小型化を実現することが困難になるため、好ましくない。条件式（１４）の下限値を超えると、第２レンズ群Ｕ２と第３レンズ群Ｕ３が干渉してしまうため、好ましくない。
【００７１】
好ましくは、条件式（７）から（１４）の数値範囲を次のように設定するのが良い。
ｎｄ２ｎ１＞１．９４０…（７ａ）
０．０７４＜（ＴＬ／ｆ１）／（ｆｔ／ｆｗ）＜０．０９９…（８ａ）
０．９７＜（ＴＬ／φｔ）／（ｆｔ／ｆｗ）＜１．１８…（９ａ）
２．００＜ＢＦｗ／ｆｗ＜３．００…（１０ａ）
２２．０＜β２ｔ／β２ｗ＜４３．０…（１１ａ）
１．３５＜β４ｔ／β４ｗ＜２．５０…（１２ａ）
０．００１０＜Ｌ１ｗ／ＴＬ＜０．０１５…（１３ａ）
０．０１０＜Ｌ２ｔ／ＴＬ＜０．０４０…（１４ａ）
【００７２】
なお、さらに好ましくは、条件式（７）から（１４）の数値範囲を次のように設定するのが良い。
ｎｄ２ｎ１＞１．９５０…（７ｂ）
０．０７６＜（ＴＬ／ｆ１）／（ｆｔ／ｆｗ）＜０．０９８…（８ｂ）
０．９８＜（ＴＬ／φｔ）／（ｆｔ／ｆｗ）＜１．１７…（９ｂ）
２．３０＜ＢＦｗ／ｆｗ＜２．８０…（１０ｂ）
２３．０＜β２ｔ／β２ｗ＜４１．０…（１１ｂ）
１．４０＜β４ｔ／β４ｗ＜２．４０…（１２ｂ）
０．００４０＜Ｌ１ｗ／ＴＬ＜０．０１０…（１３ｂ）
０．０１５＜Ｌ２ｔ／ＴＬ＜０．０３０…（１４ｂ）
【００７３】
また、各実施例のズームレンズにおいて、第１レンズ群Ｕ１は、物体側より像側へ順に、負レンズ、正レンズ、正レンズ、正レンズから構成される。各実施例のズームレンズは変倍比２０から３０程度の高倍率のズームレンズであり、第１レンズ群Ｕ１の内部で発生した軸上色収差が、第２レンズ群Ｕ２以降の光学系で拡大されるため、望遠端付近において軸上色収差が多く発生しやすい。
【００７４】
各実施例のズームレンズでは、第１レンズ群Ｕ１に負レンズと、３枚の正レンズを配置することにより、第１レンズ群Ｕ１の内部で発生する軸上色収差を低減させている。
【００７５】
さらに、各実施例のズームレンズにおいて、第２レンズ群Ｕ２は、少なくとも２枚の負レンズと、少なくとも１枚の正レンズを含む、３枚以上のレンズからなる。
【００７６】
各実施例のズームレンズでは、高倍化を実現するために、主変倍群である第２レンズ群Ｕ２の屈折力を強めている。これにより、ズームレンズの小型化と高倍化の両立を図っている。ここで、第２レンズ群Ｕ２の屈折力を強めるために、第２レンズ群Ｕ２に含まれる各レンズの屈折力を強くする必要が生じる。各実施例のズームレンズでは、第２レンズ群Ｕ２に少なくとも２枚の負レンズを配置することで、負の屈折力を複数の負レンズで分担し、ズーミングに伴い各レンズで発生する諸収差の変動を抑制している。
【００７７】
また、各実施例のズームレンズにおいて、第３レンズ群Ｕ３に、非球面形状のレンズ面を有するレンズ（非球面レンズ）を少なくとも１枚配置している。各実施例のズームレンズは、広角端における開口比が１．６程度であり、球面収差やコマ収差が発生しやすい。そこで、第３レンズ群Ｕ３に非球面レンズを配置することで、球面収差やコマ収差の発生を効果的に抑制している。
【００７８】
続いて、各レンズ群の構成について説明する。各実施例のズームレンズにおいて、第１レンズ群Ｕ１は、物体側から像側へ順に、負レンズ、正レンズ、正レンズ、正レンズから成る。
【００７９】
実施例１乃至６のズームレンズにおいて、第２レンズ群Ｕ２は、３枚の負レンズと１枚の正レンズから成る。また、実施例７のズームレンズにおいて、第２レンズ群Ｕ２は、２枚の負レンズと１枚の正レンズから成り、各レンズのうち少なくとも１枚のレンズは、非球面レンズである。これにより、第２レンズ群Ｕ２を構成するレンズの枚数を削減しつつ、光学性能の低下を抑制することができる。
【００８０】
実施例１乃至４、６、７のズームレンズにおいて、第３レンズ群Ｕ３は、物体側より像側へ順に、正レンズ、負レンズから構成される。物体側より像側へ順に、正レンズと負レンズを配置することで、第３レンズ群Ｕ３と第４レンズ群Ｕ４の主点間隔を広げることができ、第４レンズ群Ｕ４の移動量を小さくすることができる。結果としてレンズ全長の短縮化に寄与することができる。
【００８１】
実施例５のズームレンズにおいて、第３レンズ群Ｕ３は、物体側より像側へ順に、正レンズ、正レンズ、負レンズから構成される。２枚の正レンズを配置することで、正の屈折力を複数の正レンズで分担し、ズーミングに伴い各レンズで発生する諸収差の変動を抑制している。
【００８２】
実施例１乃至４、６、７のズームレンズにおいて、第４レンズ群Ｕ４は、物体側より像側へ順に、正レンズと負レンズが接合された接合レンズから構成される。正レンズと負レンズを用いることで、ズーミングに伴う色収差の変動を抑制することができる。
【００８３】
実施例５のズームレンズにおいて、第４レンズ群Ｕ４は、物体側より像側へ順に、正レンズと負レンズが接合された接合レンズ、正レンズから構成される。２枚の正レンズを配置することで、正の屈折力を複数の正レンズで分担し、ズーミングに伴い各レンズで発生する諸収差の変動を抑制している。
【００８４】
次に、本発明の実施例１から７にそれぞれ対応する数値実施例１から７に関するレンズデータを示す。各数値実施例において、ｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。
【００８５】
またＫを離心率、Ａ３、Ａ４、Ａ５、Ａ６、Ａ７、Ａ８、Ａ９、Ａ１０を非球面係数、光軸からの高さｈの位置での光軸方向の変位を面頂点を基準にしてｘとするとき、非球面形状は、
ｘ＝（ｈ２／Ｒ）／［１＋［１−（１＋Ｋ）（ｈ／Ｒ）２］１／２］＋Ａ３ｈ３＋Ａ４ｈ４＋Ａ５ｈ５＋Ａ６ｈ６＋Ａ７ｈ７＋Ａ８ｈ８＋Ａ９ｈ９＋Ａ１０ｈ１０
で表示される。但しＲは近軸曲率半径である。また「ｅ−Ｚ」の表示は「１０−Ｚ」を意味する。
【００８６】
各実施例において、バックフォーカス（ＢＦ）は、レンズ系の最も像側の面から像面までの距離を、空気換算長により表したものである。また、各数値実施例における上述した条件式との対応を表１に示す。
【００８７】
なお、広角端における有効像円径（イメージサークルの直径）を、望遠端における有効像円径に比べて小さくすることができる。これは、画像処理によって画像を引き伸ばすことで、広角側において発生しやすい樽型の歪曲収差を補正することができるためである。
【００８８】
［数値実施例１］
単位  ｍｍ
面データ
面番号       r        d      nd         νd
1         55.000    1.25   1.85478    24.8 
2         32.797    5.73   1.49700    81.5 
3        279.125    0.15 
4         34.086    3.95   1.49700    81.5 
5        134.865    0.10 
6         30.111    2.67   1.69680    55.5 
7         63.538  (可変) 
8         54.884    0.50   1.95375    32.3 
9          6.097    2.16 
10         30.843    0.45   1.83481    42.7 
11         16.287    1.52 
12        -16.393    0.45   1.83481    42.7 
13         33.793    0.15 
14         16.874    1.72   1.95906    17.5 
15        -48.857  (可変) 
16(絞り)    ∞       1.00 
17*        10.691    4.72   1.58313    59.5
18*       -24.394    1.46 
19         21.604    0.50   2.00069    25.5 
20         10.450  (可変) 
21         18.509    3.90   1.60311    60.6
22        -10.164    0.50   2.00069    25.5
23        -17.092  (可変)
24          ∞       1.50   1.51500    70.0
25          ∞       3.80
像面        ∞
非球面データ
第17面
K =-1.02686e+000  
A 3=-1.84598e-005  A 5= 2.58119e-006  A 7= 1.17540e-008
第18面
K =-1.21069e+001  
A 3=-3.21956e-005  A 5= 4.61800e-006  A 7=-1.59425e-008
各種データ
ズーム比     24.95 
広角     中間     望遠
焦点距離       4.82    41.91   120.36  
Fナンバー      1.65     3.58     4.00  
半画角（度）   33.97     4.43     1.55  
像高           3.25     3.25     3.25  
レンズ全長    84.60    84.60    84.60  
BF            12.58    20.01     6.84  
d 7            0.60    21.88    26.55  
d15           27.32     6.04     1.37  
d20           11.23     3.80    16.97  
d23            7.79    15.22     2.05  
ズームレンズ群データ
群  始面    焦点距離  
1    1      39.03  
2    8      -6.26  
3   17      24.31  
4   21      19.79  
【００８９】
［数値実施例２］
単位  ｍｍ
面データ
面番号       r        d      nd         νd
1         76.044    1.70   1.85478    24.8 
2         44.859    8.08   1.49700    81.5 
3        445.709    0.21 
4         45.918    5.07   1.49700    81.5 
5        210.585    0.14
6         41.227    3.17   1.69680    55.5 
7         88.862  (可変) 
8        125.485    0.70   1.95375    32.3 
9          9.448    3.33 
10         66.994    0.60   1.83481    42.7
11         19.181    2.69 
12        -20.299    0.60   1.83481    42.7 
13       3199.020    0.15 
14         33.079    2.16   1.95906    17.5 
15        -46.222  (可変) 
16(絞り)    ∞     (可変)
17*        12.189    5.17   1.58313    59.5
18*       -50.490    2.45 
19         19.252    0.70   2.00069    25.5 
20         10.749  (可変)
21*        18.657    4.00   1.55332    71.7 
22        -13.126    0.70   2.00069    25.5 
23        -21.373  (可変) 
24          ∞       2.08   1.51500    70.0 
25          ∞       3.80 
像面        ∞ 
非球面データ
第17面
K =-9.57390e-001  
A 3= 1.37191e-005  A 5= 9.43502e-007  A 7= 8.81440e-009
第18面
K =-1.50396e+001 
A 3= 2.99426e-005  A 5= 2.20054e-006  A 7=-4.82016e-009
第21面
K =-2.48870e-001  A 4=-4.40444e-006  A 6= 7.36682e-009  A 8= 5.76115e-010
各種データ
ズーム比     22.99 
広角     中間     望遠
焦点距離       5.62    45.70   129.22 
Fナンバー      1.65     3.17     3.50 
半画角（度）   38.68     5.62     1.99 
像高           4.50     4.50     4.50 
レンズ全長   109.41   109.41   109.41 
BF            14.64    22.05    11.21 
d 7            0.60    28.41    34.52 
d15           34.95     7.14     1.04 
d16            6.71     3.64     1.00 
d20           10.89     6.54    20.03 
d23            9.47    16.87     6.04 
ズームレンズ群データ
群  始面    焦点距離 
1    1      51.64 
2    8      -8.91 
3   17      31.48 
4   21      24.12 
【００９０】
［数値実施例３］
単位  ｍｍ
面データ
面番号       r        d      nd         νd
1         60.034    1.25   1.85478    24.8 
2         36.361    5.83   1.49700    81.5 
3        302.800    0.15 
4         38.769    3.75   1.59522    67.7 
5        120.928    0.10 
6         32.197    2.96   1.59522    67.7 
7         72.003  (可変) 
8         59.450    0.50   1.95375    32.3
9          6.419    2.12 
10         26.411    0.45   1.91082    35.3 
11         13.903    1.81 
12        -14.972    0.45   1.91082    35.3
13         74.173    0.15 
14         20.961    1.87   1.95906    17.5 
15        -28.794  (可変) 
16(絞り)    ∞       1.00
17*        11.204    4.81   1.58313    59.5
18*       -25.488    1.60 
19         22.684    0.50   2.00069    25.5 
20         10.786  (可変) 
21         19.694    3.84   1.60311    60.6
22        -10.624    0.50   2.00069    25.5
23        -17.536  (可変) 
24          ∞       1.50   1.51500    70.0 
25          ∞       3.80
像面        ∞ 
非球面データ
第17面
K =-1.09931e+000 
A 3= 7.88892e-007  A 5= 2.87708e-006  A 7= 2.26419e-009 
第18面
K =-1.15637e+001 
A 3=-1.23300e-005  A 5= 3.64844e-006  A 7=-1.41845e-008 
各種データ
ズーム比     27.93 
広角     中間     望遠
焦点距離       4.76    43.30   132.90
Fナンバー      1.65     3.58     4.00 
半画角（度）   34.33     4.29     1.40 
像高           3.25     3.25     3.25 
レンズ全長    89.58    89.58    89.58 
BF            12.98    20.86     6.84 
d 7            0.60    24.71    30.00 
d15           30.54     6.44     1.15 
d20           11.81     3.93    17.95 
d23            8.19    16.07     2.05 
ズームレンズ群データ
群  始面    焦点距離 
1    1      43.09 
2    8      -6.72 
3   17      26.11 
4   21      20.46 
【００９１】
［数値実施例４］
単位  ｍｍ
面データ
面番号       r        d      nd         νd
1         57.193    1.25   1.85478    24.8
2         30.473    5.85   1.49700    81.5
3        216.927    0.15 
4         33.402    3.81   1.69680    55.5 
5        111.160    0.10 
6         32.975    2.42   1.69680    55.5 
7         65.793  (可変) 
8         57.135    0.50   1.95375    32.3 
9          6.353    2.17
10         29.455    0.45   1.83481    42.7
11         16.502    1.59
12        -16.630    0.45   1.83481    42.7
13         33.212    0.15 
14         17.374    1.75   1.95906    17.5 
15        -48.984  (可変)
16(絞り)    ∞       1.00
17*         9.702    4.58   1.58313    59.5
18*       -27.502    1.51 
19         17.893    0.50   2.00069    25.5 
20          9.080  (可変) 
21         16.234    3.85   1.60311    60.6 
22         -9.778    0.50   2.00069    25.5 
23        -16.945  (可変) 
24          ∞       1.50   1.51500    70.0
25          ∞       3.80
像面        ∞
非球面データ
第17面
K =-1.00320e+000
A 3=-2.97831e-006  A 5= 3.22092e-006  A 7= 2.35371e-008
第18面
K =-1.41855e+001
A 3= 2.51531e-006  A 5= 6.01040e-006  A 7=-2.41285e-008
各種データ
ズーム比     21.97
広角     中間     望遠
焦点距離       4.78    39.36   105.09
Fナンバー      1.65     3.17     3.50
半画角（度）   34.19     4.72     1.77
像高           3.25     3.25     3.25
レンズ全長    81.56    81.56    81.56
BF            11.65    17.90     6.84
d 7            0.60    21.51    26.09
d15           26.85     5.94     1.36
d20            9.88     3.63    14.69
d23            6.86    13.11     2.05
ズームレンズ群データ
群  始面    焦点距離
1    1      38.54
2    8      -6.49
3   17      23.60
4   21      18.55
【００９２】
［数値実施例５］
単位  ｍｍ
面データ
面番号       r        d      nd         νd
1         56.799    1.25   1.84666    23.8
2         34.251    5.31   1.49700    81.5
3        279.634    0.15
4         36.185    3.55   1.49700    81.5
5        139.790    0.10
6         29.719    2.80   1.69680    55.5
7         64.004  (可変)
8         45.698    0.60   2.00100    29.1
9          5.822    3.65 
10*       -48.405    0.60   1.76802    49.2
11*        35.061    0.12
12         43.892    0.50   1.91082    35.3
13         11.450    2.17   1.95906    17.5
14       -132.546  (可変) 
15(絞り)    ∞       1.00 
16*        10.559    4.17   1.69350    53.2 
17*       -40.951    0.18 
18         18.894    0.91   1.60311    60.6
19         25.147    0.60   2.00100    29.1
20          9.225  (可変)
21         19.776    3.57   1.60311    60.6
22        -10.881    0.60   2.00069    25.5
23        -22.189    0.15 
24       -118.535    1.28   1.51633    64.1
25        -24.533  (可変) 
26          ∞       1.50   1.51500    70.0
27          ∞       3.80
像面        ∞
非球面データ
第10面
K = 9.13879e+001  A 4=-1.22707e-003  A 6= 3.20881e-005  A 8=-3.80905e-007
A10=-1.69004e-008
第11面
K =-2.32309e+001  A 4=-1.42060e-003  A 6= 3.44555e-005  A 8=-7.89692e-007
A10=-5.23523e-009
第16面
K =-4.38690e-001  A 4=-4.08007e-005  A 6= 7.92561e-008  A 8= 4.38561e-009
A10=-7.57322e-011
第17面
K = 1.23404e+001  A 4= 9.72088e-005  A 6= 1.63501e-007  A 8=-2.03402e-009
A10=-1.33408e-011
各種データ
ズーム比     23.92 
広角     中間     望遠
焦点距離       4.85    39.12   116.09
Fナンバー      1.65     3.49     4.00
半画角（度）   33.81     4.75     1.60
像高           3.25     3.25     3.25
レンズ全長    84.40    84.40    84.40
BF            12.52    19.57     6.79
d 7            0.60    21.55    26.79
d14           27.19     6.24     1.00
d20           10.82     3.77    16.55
d25            7.73    14.78     2.00
ズームレンズ群データ
群  始面    焦点距離
1    1      39.30
2    8      -6.49
3   16      25.48
4   21      18.73
【００９３】
［数値実施例６］
単位  ｍｍ
面データ
面番号       r        d      nd         νd
1         60.317    1.25   1.85478    24.8
2         35.901    5.76   1.49700    81.5
3        324.865    0.15
4         38.164    3.78   1.49700    81.5
5        129.226    0.10
6         33.475    2.83   1.69680    55.5
7         75.447  (可変)
8         43.553    0.50   2.00100    29.1
9          6.525    3.36
10        -22.286    0.45   1.83481    42.7
11         24.635    0.51
12         14.889    2.14   1.95906    17.5
13        -44.025    0.45   1.91082    35.3
14         83.683  (可変)
15(絞り)    ∞       1.00
16*        10.746    4.81   1.58313    59.5
17*       -29.106    1.34
18         19.418    0.50   2.00069    25.5
19         10.168  (可変)
20         18.284    3.84   1.60311    60.6
21        -10.896    0.50   2.00069    25.5
22        -18.746  (可変) 
23          ∞       1.50   1.51500    70.0 
24          ∞       3.80 
像面        ∞
非球面データ
第16面
K =-9.98410e-001
A 3= 1.84306e-006  A 5= 2.00870e-006  A 7= 1.10851e-008
第17面
K =-1.43239e+001
A 3= 2.84299e-006  A 5= 3.54144e-006  A 7=-1.14178e-008
各種データ
ズーム比     26.95 
広角     中間     望遠
焦点距離       4.85    44.37   130.72
Fナンバー      1.65     3.58     4.00
半画角（度）   33.83     4.19     1.42
像高           3.25     3.25     3.25
レンズ全長    89.55    89.55    89.55
BF            12.74    20.85     6.84
d 7            0.60    24.67    29.96
d14           30.77     6.69     1.41
d19           12.18     4.07    18.08
d22            7.95    16.06     2.05
ズームレンズ群データ
群  始面    焦点距離
1    1      43.13
2    8      -6.77
3   16      25.66
4   20      20.60
【００９４】
［数値実施例７］
単位  ｍｍ
面データ
面番号       r        d      nd         νd
1         58.667    1.25   1.85478    24.8
2         34.815    5.80   1.49700    81.5
3        363.768    0.15 
4         36.159    3.77   1.49700    81.5 
5        119.284    0.10 
6         32.168    2.75   1.69680    55.5
7         71.570  (可変) 
8         49.221    0.50   1.95375    32.3 
9          6.230    3.81 
10*       -15.054    0.45   1.85135    40.1 
11*        26.942    0.53
12         24.970    1.76   1.95906    17.5
13        -31.085  (可変) 
14(絞り)    ∞       1.00 
15*        10.145    4.59   1.58313    59.5 
16*       -28.390    1.81 
17         19.093    0.50   2.00069    25.5 
18          9.428  (可変) 
19         16.746    3.90   1.60311    60.6
20        -10.021    0.50   2.00069    25.5
21        -17.101  (可変)
22          ∞       1.50   1.51500    70.0
23          ∞       3.80 
像面        ∞
非球面データ
第10面
K = 1.63600e+000  A 4=-5.81393e-005  A 6=-6.42552e-008  A 8=-7.21516e-008
第11面
K =-2.43612e+001  A 4=-6.17765e-005  A 6=-2.06892e-006  A 8=-1.18192e-009
第15面
K =-1.05765e+000
A 3= 1.14761e-005  A 5= 3.80400e-006  A 7= 7.82312e-009
第16面
K =-1.42800e+001
A 3= 6.34898e-006  A 5= 4.89347e-006  A 7=-2.17641e-008
各種データ
ズーム比     22.97
広角     中間     望遠
焦点距離       4.82    40.34   110.69
Fナンバー      1.65     3.17     3.50
半画角（度）   34.00     4.61     1.68
像高           3.25     3.25     3.25 
レンズ全長    84.52    84.52    84.52 
BF            11.91    18.18     6.84 
d 7            0.60    23.36    28.35 
d13           28.93     6.17     1.17 
d18            9.91     3.63    14.98 
d21            7.12    13.39     2.05 
ズームレンズ群データ
群  始面    焦点距離 
1    1      41.39 
2    8      -6.95 
3   15      24.98 
4   19      18.79 
【００９５】
【表１】
0006525566.tif 000002
【００９６】
次に本発明のズームレンズを撮影光学系として用いた監視カメラの実施形態について、図１５を用いて説明する。
【００９７】
図１５において、３０は監視カメラ本体、３１は実施例１乃至９で説明したいずれかのズームレンズによって構成された撮影光学系である。３２はカメラ本体に内蔵され、撮影光学系３１によって形成された被写体像を受光するＣＣＤセンサやＣＭＯＳセンサ等の固体撮像素子（光電変換素子）である。３３は、固体撮像素子３２によって光電変換された被写体像に対応する情報を記録するメモリである。３４は、固体撮像素子３２によって光電変換された被写体像を転送するためのネットワークケーブルである。
【００９８】
このように本発明のズームレンズをデジタルスチルカメラ等の撮像装置に適用することにより、小型かつ高倍率であり、高い光学性能を有する撮像装置を得ることができる。
【符号の説明】
【００９９】
Ｕ１  第１レンズ群
Ｕ２  第２レンズ群
Ｕ３  第３レンズ群
Ｕ４  第４レンズ群
ＳＰ  絞り
Ｇ  光学ブロック
ＩＰ  像面
【図１】
0006525566.tif 000003
【図２】
0006525566.tif 000004
【図３】
0006525566.tif 000005
【図４】
0006525566.tif 000006
【図５】
0006525566.tif 000007
【図６】
0006525566.tif 000008
【図７】
0006525566.tif 000009
【図８】
0006525566.tif 000010
【図９】
0006525566.tif 000011
【図１０】
0006525566.tif 000012
【図１１】
0006525566.tif 000013
【図１２】
0006525566.tif 000014
【図１３】
0006525566.tif 000015
【図１４】
0006525566.tif 000016
【図１５】
0006525566.tif 000017